(57)【要約】【課題】  胡蝶蘭の花茎及び分枝の生長に柔軟に対応することができる胡蝶蘭の支持装置を提供する。【解決手段】  胡蝶蘭３０の支持装置１０は、一端１ａが胡蝶蘭３０の株元近傍の植え込み材料２２に埋設され、当該胡蝶蘭３０の花茎３６に併設されて、胡蝶蘭３０の花茎３６を支持する棒状体の支柱１と、一端２ａが支柱１の中間に連結され、胡蝶蘭３０の分枝３７に併設されて、当該胡蝶蘭３０の分枝３７を支持する線状体の補助支柱２と、を備える。【選択図】        図１
2015080450.tif 000002
【特許請求の範囲】
【請求項１】
一端が胡蝶蘭の株元近傍の植え込み材料に埋設され、当該胡蝶蘭の花茎に併設されて、当該胡蝶蘭の花茎を支持する棒状体の支柱と、
一端が前記支柱の中間に連結され、前記胡蝶蘭の分枝に併設されて、当該胡蝶蘭の分枝を支持する線状体の補助支柱と、
を備えることを特徴とする胡蝶蘭の支持装置。
【請求項２】
請求項１に記載の胡蝶蘭の支持装置において、
前記補助支柱が、前記支持する胡蝶蘭の分枝の長さより長く、他端側に余剰分を束ねており、前記胡蝶蘭の分枝の生長に応じて、前記余剰分の束から解いた部分を前記胡蝶蘭の分枝の生長部分に沿わせることを特徴とする胡蝶蘭の支持装置。
【請求項３】
請求項１又は２に記載の胡蝶蘭の支持装置において、
前記支柱が、前記植え込み材料から露出する他端側の領域に略円状又は螺旋状に湾曲する湾曲部を有することを特徴とする胡蝶蘭の支持装置。
【請求項４】
請求項１乃至３のいずれかに記載の胡蝶蘭の支持装置において、
前記胡蝶蘭が植栽され、上端が折り返された折返し縁を有するビニールポットと、
前記ビニールポットを埋設する植木鉢と、
を備え、
前記支柱は、前記植え込み材料に埋設される一端側の領域に略Ｓ字状の屈曲部を有し、当該屈曲部が前記ビニールポットの折返し縁に係合することを特徴とする胡蝶蘭の支持装置。
【請求項５】
請求項２乃至４のいずれかに記載の胡蝶蘭の支持装置を使用した胡蝶蘭の仕立方法において、
前記胡蝶蘭の花茎を前記支柱に沿わせ、結束具により前記胡蝶蘭の花茎及び前記支柱を結束し、前記胡蝶蘭の花茎を前記支柱に支持させる支持ステップと、
前記胡蝶蘭の分枝の生長に応じて、前記胡蝶蘭の花茎の分枝点近傍に前記補助支柱の一端を連結させ、前記胡蝶蘭の分枝に前記補助支柱を沿わせ、結束具により前記胡蝶蘭の分枝及び補助支柱を結束し、前記胡蝶蘭の分枝を前記補助支柱に支持させる連結ステップと、
前記胡蝶蘭の分枝の生長に応じて、前記補助支柱の余剰分の束から解いた部分を前記胡蝶蘭の分枝の生長部分に沿わせる伸長ステップと、
を含むことを特徴とする胡蝶蘭の仕立方法。
【請求項６】
請求項５に記載の胡蝶蘭の仕立方法により育成された胡蝶蘭において、
前記支柱が、前記植え込み材料から露出する他端側の領域に略円状又は螺旋状に湾曲する湾曲部を有し、
前記胡蝶蘭の花茎が、前記支柱の湾曲部に沿って略円状又は螺旋状に延在することを特徴とする胡蝶蘭。
【請求項７】
請求項１乃至４のいずれかに記載の胡蝶蘭の支持装置により支持される胡蝶蘭の植え替え方法において、
前記胡蝶蘭が植栽されたビニールポットの側壁における上端から略中央位置まで深さ方向に切り込みを入れる切断ステップと、
前記切断ステップにより生じた前記ビニールポットの切片を外側に折り返す折返しステップと、
前記胡蝶蘭が植栽されたビニールポットを当該ビニールポットよりも大きい植木鉢の内部に挿入し、当該植木鉢の内部の間隙にバークを充填する埋設ステップと、
を含むことを特徴とする胡蝶蘭の植え替え方法。
【請求項８】
請求項７に記載の胡蝶蘭の植え替え方法において、
前記切断ステップが、前記ビニールポットの鉢底を切開するステップを含むことを特徴とする胡蝶蘭の植え替え方法。
【発明の詳細な説明】
【技術分野】
【０００１】
本発明は、胡蝶蘭（ファレノプシス）の花茎を支持するための支持装置、その支持装置を使用した胡蝶蘭の仕立方法、その胡蝶蘭の仕立方法により育成された胡蝶蘭、及び、胡蝶蘭の植え替え方法に関する。
【背景技術】
【０００２】
従来の洋ランの栽培方法は、真直支柱を花茎に沿って立設し、その真直支柱と花茎とを要所にて止着部材で結び止めしておき、花茎のつぼみが開き咲き始めた時期に、前記真直支柱の先端に湾曲支柱を継ぎ足してその湾曲支柱と前記真直支柱の先端部へ花茎の要所を止着部材で結び止めし、出荷時期まで放置する（例えば、特許文献１参照）。
【先行技術文献】
【特許文献】
【０００３】
【特許文献１】特開平７−２３６６４号公報
【発明の概要】
【発明が解決しようとする課題】
【０００４】
従来の洋ランの栽培方法は、真直支柱及び湾曲支柱を連結した長さとして主花茎が伸びて最長となる長さに対応するような、真直支柱及び湾曲支柱を準備しておき、主花茎が伸長して蕾が順次開花するに従い、真直支柱及び湾曲支柱で花茎を支持している。なお、胡蝶蘭は、主花茎から分枝の発生もあるが、切除して主花茎だけに支柱を用いることが一般的である。
また、他の洋ランの栽培方法としては、長めの真直支柱を準備しておき、主花茎を伸長させて、真直支柱による主花茎の支持に併せて、真直支柱に分枝を添え、真直支柱で分枝を伸長させる方法もある。
しかしながら、従来の洋ランの栽培方法においては、湾曲支柱（真直支柱の先端側）のみを湾曲させて主花茎及び分枝の全体を整える事と、圧倒感と、花を整然と並べる事とで、洋ランの美しさを出さざるを得なかった。
また、従来の洋ランの栽培方法で使用する支柱は、文化的思想が存在せず、湾曲支柱が一方向に湾曲するのみの単調な湾曲形状であるために、湾曲支柱を自在に活かして主花茎及び分枝全体を造形するという芸術的発想がなく、洋ランの鑑賞者に普遍性と意図とを感じさせることは無かった。
また、従来の洋ランの栽培方法では、思想又は感情を創作的に表現したものであって、文芸、学術、美術又は音楽の範囲に属する著作物と同様に、感性及び普遍性と意図を持って、洋ランをアールヌーボー調に仕立てることができないという課題がある。
【０００５】
この発明は、上述のような課題を解決するためになされたもので、胡蝶蘭の花茎及び分枝の生長に柔軟に対応することができる胡蝶蘭の支持装置、胡蝶蘭の仕立方法、胡蝶蘭、及び、胡蝶蘭の植え替え方法を提供することを目的とする。
【課題を解決するための手段】
【０００６】
この発明に係る胡蝶蘭の支持装置においては、一端が胡蝶蘭の株元近傍の植え込み材料に埋設され、当該胡蝶蘭の花茎に併設されて、当該胡蝶蘭の花茎を支持する棒状体の支柱と、一端が支柱の中間に連結され、胡蝶蘭の分枝に併設されて、当該胡蝶蘭の分枝を支持する線状体の補助支柱と、を備えるものである。
【０００７】
また、この発明に係る胡蝶蘭の支持装置においては、必要に応じて、補助支柱が、支持する胡蝶蘭の分枝の長さより長く、他端側に余剰分を束ねており、胡蝶蘭の分枝の生長に応じて、余剰分の束から解いた部分を胡蝶蘭の分枝の生長部分に沿わせるものである。
【０００８】
また、この発明に係る胡蝶蘭の支持装置においては、必要に応じて、支柱が、植え込み材料から露出する他端側の領域に略円状又は螺旋状に湾曲する湾曲部を有するものである。
【０００９】
また、この発明に係る胡蝶蘭の支持装置においては、必要に応じて、胡蝶蘭が植栽され、上端が折り返された折返し縁を有するビニールポットと、ビニールポットを埋設する植木鉢と、を備え、支柱は、植え込み材料に埋設される一端側の領域に略Ｓ字状の屈曲部を有し、当該屈曲部がビニールポットの折返し縁に係合するものである。
【００１０】
この発明に係る胡蝶蘭の仕立方法においては、胡蝶蘭の花茎を支柱に沿わせ、結束具により胡蝶蘭の花茎及び支柱を結束し、胡蝶蘭の花茎を支柱に支持させる支持ステップと、胡蝶蘭の分枝の生長に応じて、胡蝶蘭の花茎の分枝点近傍に補助支柱の一端を連結させ、胡蝶蘭の分枝に補助支柱を沿わせ、結束具により胡蝶蘭の分枝及び補助支柱を結束し、胡蝶蘭の分枝を補助支柱に支持させる連結ステップと、胡蝶蘭の分枝の生長に応じて、補助支柱の余剰分の束から解いた部分を胡蝶蘭の分枝の生長部分に沿わせる伸長ステップと、を含む。
【００１１】
この発明に係る胡蝶蘭においては、支柱が、植え込み材料から露出する他端側の領域に略円状又は螺旋状に湾曲する湾曲部を有し、胡蝶蘭の花茎が、支柱の湾曲部に沿って略円状又は螺旋状に延在するものである。
【００１２】
この発明に係る胡蝶蘭の植え替え方法においては、胡蝶蘭が植栽されたビニールポットの側壁における上端から略中央位置まで深さ方向に切り込みを入れる切断ステップと、切断ステップにより生じたビニールポットの切片を外側に折り返す折返しステップと、胡蝶蘭が植栽されたビニールポットを当該ビニールポットよりも大きい植木鉢の内部に挿入し、当該植木鉢の内部の間隙にバークを充填する埋設ステップと、を含む。
【００１３】
また、この発明に係る胡蝶蘭の植え替え方法においては、必要に応じて、切断ステップが、ビニールポットの鉢底を切開するステップを含む。
【発明の効果】
【００１４】
この発明に係る胡蝶蘭の支持装置においては、一端が胡蝶蘭の株元近傍の植え込み材料に埋設され、当該胡蝶蘭の花茎に併設されて、当該胡蝶蘭の花茎を支持する棒状体の支柱と、一端が支柱の中間に連結され、胡蝶蘭の分枝に併設されて、当該胡蝶蘭の分枝を支持する線状体の補助支柱と、を備えることにより、胡蝶蘭の花茎を所望の姿勢で支持することができる。
【００１５】
この発明に係る胡蝶蘭の仕立方法においては、胡蝶蘭の花茎を支柱に沿わせ、結束具により胡蝶蘭の花茎及び支柱を結束し、胡蝶蘭の花茎を支柱に支持させる支持ステップと、胡蝶蘭の分枝の生長に応じて、胡蝶蘭の花茎の分枝点近傍に補助支柱の一端を連結させ、胡蝶蘭の分枝を補助支柱に沿わせ、結束具により胡蝶蘭の分枝及び補助支柱を結束し、胡蝶蘭の分枝を補助支柱に支持させる連結ステップと、胡蝶蘭の分枝の生長に応じて、補助支柱の余剰分の束から解いた部分を胡蝶蘭の分枝の生長部分に沿わせる伸長ステップと、を含むことにより、胡蝶蘭の分枝の生長に応じて、補助支柱を追加及び伸長させることができ、胡蝶蘭の花茎を所望の姿勢で支持することができる。
【００１６】
この発明に係る胡蝶蘭においては、支柱が、植え込み材料から露出する他端側の領域に略円状又は螺旋状に湾曲する湾曲部を有し、胡蝶蘭の花茎が、支柱の湾曲部に沿って略円状又は螺旋状に延在することにより、全体（花茎、分枝、花の部分）が略球状に構成され、湾曲部（花茎、分枝）が優美な曲線的印象を胡蝶蘭３０の鑑賞者に与え、アールヌーボー的な美的要素を有している。
【００１７】
この発明に係る胡蝶蘭の植え替え方法においては、胡蝶蘭が植栽されたビニールポットの側壁における上端から略中央位置まで深さ方向に切り込みを入れる切断ステップと、切断ステップにより生じたビニールポットの切片を外側に折り返す折返しステップと、胡蝶蘭が植栽されたビニールポットを当該ビニールポットよりも大きい植木鉢の内部に挿入し、当該植木鉢の内部の間隙にバークを充填する埋設ステップと、を含むことにより、胡蝶蘭からビニールポットを外さず、ビニールポット内からのバークの脱落を抑制して、胡蝶蘭の植え替えを行うことができると共に、折り返したビニールポットにおける折り返す前の側壁に対応する部分から植木鉢内の新たなバークに胡蝶蘭の根を生長させることができる。
【図面の簡単な説明】
【００１８】
【図１】（ａ）は第１の実施形態に係る胡蝶蘭の支持装置により胡蝶蘭の花茎を支持させた状態を示す正面図であり、（ｂ）は図１に示す補助支柱の形成方法を説明するための説明図である。
【図２】（ａ）は図１に示す支柱の配置を説明するための平面図であり、（ｂ）は図１に示す支柱の他の例を説明するための正面図であり、（ｃ）は図２（ｂ）に示す支柱の配置を説明するための平面図であり、（ｄ）は図１に示す支柱のさらに他の例を説明するための正面図である。
【図３】（ａ）は図１に示す支柱の一例を説明するための正面図であり、（ｂ）は図３（ａ）に示す支柱の右側面図であり、（ｃ）は図３（ａ）に示す支柱を右上側から見た斜視図であり、（ｄ）は図３（ａ）に示す支柱の平面図である。
【図４】（ａ）は図１に示す支柱の一例を説明するための正面図であり、（ｂ）は図４（ａ）に示す支柱の左側面図であり、（ｃ）は図４（ａ）に示す支柱を右上側から見た斜視図であり、（ｄ）は図４（ａ）に示す支柱の平面図である。
【図５】（ａ）は図１に示す支柱の一例を説明するための正面図であり、（ｂ）は図５（ａ）に示す支柱の左側面図であり、（ｃ）は図５（ａ）に示す支柱を右上側から見た斜視図であり、（ｄ）は図５（ａ）に示す支柱の平面図である。
【図６】（ａ）は図１に示す支柱の一例を説明するための正面図であり、（ｂ）は図６（ａ）に示す支柱の左側面図であり、（ｃ）は図６（ａ）に示す支柱を右上側から見た斜視図であり、（ｄ）は図６（ａ）に示す支柱の平面図である。
【図７】（ａ）は図１に示す補助支柱を説明するための説明図であり、（ｂ）は第１の実施形態に係る胡蝶蘭の植え替え方法の連結ステップを説明するための説明図であり、（ｃ）は第１の実施形態に係る胡蝶蘭の植え替え方法の伸長ステップを説明するための説明図である。
【図８】（ａ）は育苗中の胡蝶蘭を説明するための説明図であり、（ｂ）は第１の実施形態に係る胡蝶蘭の植え替え方法を説明するための正面図であり、（ｃ）は図８（ａ）に示すビニールポットの切片を折り返した状態を示す正面図である。
【図９】（ａ）は図８（ｂ）に示すビニールポットを他の植木鉢に挿入してバークを充填した状態を示す正面図であり、（ｂ）は第１の実施形態に係る他の支持装置の概略構成を示す正面図であり、（ｃ）は第１の実施形態に係るさらに他の支持装置の概略構成を示す正面図である。
【図１０】（ａ）はビニールポットの鉢底の切開位置を説明するための説明図であり、（ｂ）は他のビニールポットの鉢底の切開位置を説明するための説明図である。
【発明を実施するための形態】
【００１９】
（本発明の第１の実施形態）
胡蝶蘭３０は、図１に示すように、左右に１枚ずつ交互に出てくる幅広い葉３１を有しており、葉３１の付け根に短い茎３２があり、茎３２から根３３が出る。胡蝶蘭３０の花芽は、株の上から数えて２枚目の葉３１の下から出て、これが伸びて先の方に蕾３４（花３５）をつける。多くの品種は、花茎３６が１本のみで分枝せず、緩やかに弧を描くが、中には分枝３７して咲く系統もある。また、分枝３７する系統の品種は、見た目が美しくなるように、分枝３７を切除するものもある。
これに対し、本実施形態に係る胡蝶蘭３０は、分枝３７を利用して、全体的にアールヌーボー的な美的要素を有する形状である。
また、胡蝶蘭３０は、ポリエチレン鉢（ビニールポット）、プラスチック鉢、素焼き鉢又は瀬戸鉢などの植木鉢２０の内部に、水苔２２ａ又はバーク（樹皮）２２ｂなどの植え込み材料２２を充填して植栽される。
なお、植え込み材料２２として水苔２２ａ単体では、水苔２２ａが水分を保持し易いため、水分過多により胡蝶蘭３０が根腐れし易くなる。これに対し、植え込み材料２２としてバーク２２ｂ単体では、水捌けがよく、植え込み材料２２が乾き易くなる。このため、本実施形態に係る胡蝶蘭３０には、水苔２２ａと水苔２２ａの周りに周設されるバーク２２ｂとからなる植え込み材料２２を使用している。
特に、本実施形態に係る胡蝶蘭３０は、水分を保持し易い水苔２２ａやバーミキューライト等をバーク２２ｂの表面に敷設することにより、バーク２２ｂの表面の渇きが抑制され、植木鉢２０内の水分環境を保持して安定させる効果が高く、且つ、根腐れも生じ難い状況を作り出すことができる。なお、水苔２２ａやバーミキューライト等は、水分保持容量の小さい植木鉢２０のサイズや水分要求度の高い胡蝶蘭３０の個体等に応じて、量を適宜加減し、バーク２２ｂの表面に敷設する。
【００２０】
胡蝶蘭３０の支持装置１０は、図１に示すように、一端１ａが胡蝶蘭３０の株元近傍の植え込み材料２２に埋設され、当該胡蝶蘭３０の花茎３６に併設されて、当該胡蝶蘭３０の花茎３６を支持する棒状体の支柱１と、一端２ａが支柱１の中間に連結され、胡蝶蘭３０の分枝３７に並設されて、当該胡蝶蘭３０の分枝３７を支持する線状体の補助支柱２と、を備える。
【００２１】
支柱１は、細長い鋼材又は鉄線などの金属材を芯材として合成樹脂で被覆された棒状体であり、植え込み材料２２に埋設される一端１ａ側の領域（以下、「埋設領域」と称す）に一又は複数の屈曲点を有する屈曲部１ｃ（例えば、略Ｕ字状、略Ｓ字状）が形成されている。このように、支柱１が屈曲部１ｃを有することにより、屈曲部１ｃが植え込み材料２２に係合し、植木鉢２０に対する支柱１の回転や植え込み材料２２からの支柱１の抜けを防止して、支柱１の安定性を保ち、胡蝶蘭３０の花茎３６を強固に支持することができる。
【００２２】
なお、本実施形態に係る支柱１は、単株から３本の花茎３６が出ている胡蝶蘭３０を図１に図示しているため、３本の花茎３６に対応して、３本の支柱１を用いているが、この本数に限られるものではなく、花茎３６の本数に応じて一又は複数の支柱１を適宜用いることになる。
【００２３】
また、本実施形態に係る支柱１は、植え込み材料２２から露出する他端１ｂ側の領域（以下、「露出領域」と称す）に略円状又は螺旋状に湾曲する湾曲部１ｄを有することにより、アールヌーボーのような優美な曲線的印象を胡蝶蘭３０の鑑賞者に与えることができる。
なお、支柱１の露出領域の一例としては、図１及び図２（ａ）に示すように、植え込み材料２２からなる地面に略垂直な平面内で略円状に湾曲する湾曲部１ｄを有する支柱１や、図２（ｂ）及び図２（ｃ）に示すように、植え込み材料２２からなる地面に略平行な平面内で略円状に湾曲する湾曲部１ｄを有する支柱１や、図２（ｄ）に示すように、螺旋状に湾曲する湾曲部１ｄを有する支柱１や、図３〜図６に示すように、複雑に湾曲する湾曲部１ｄを有する支柱１などが挙げられる。
但し、支柱１の露出領域の形状は、花茎３６の長さや花３５の付き方が胡蝶蘭３０の個体によって異なるために、胡蝶蘭３０の個体に応じた形状を適宜選択する。なお、胡蝶蘭３０の花３５は、支柱１に沿って花茎３６を変形させても、重力とのバランスにより、横向きに咲く（支柱１の長手方向に向く）ことがない。
【００２４】
ここで、従来の洋ランの栽培方法は、胡蝶蘭の花茎に沿って支柱を立設させ、花茎の向きを整えて枝垂れさせるために、植木鉢に正面（花がきれいに見える角度）があり、植木鉢の背面側は鑑賞に適さなかった。
これに対し、本実施形態に係る支持装置１０は、略円状の湾曲部１ｄを有する複数の支柱１を組み合わせて（例えば、図１では、図２（ａ）に示す平面視で隣り合う支柱１同士がなす角を約６０°で交差する）球体の外形を構成することにより、胡蝶蘭３０を植栽した植木鉢２０の正面、背面及び側面の区別が無くなり、上方及び下方を除く３６０°の様々な方向から胡蝶蘭３０の花３５の唇弁を視認することができ、胡蝶蘭３０の花３５をきれいに見せることができる。
すなわち、胡蝶蘭３０が植栽された植木鉢２０を部屋に飾る場合に、植木鉢２０の背面を部屋の壁面に対向させて壁面近傍に植木鉢２０を配置する必要が無く、植木鉢２０を部屋の中央などに配置することができ、植木鉢２０の置き場所の制約を解消することができる。
【００２５】
補助支柱２は、支柱１の強度に応じた太さ（例えば、直径約２ｍｍ）と花茎３６の長さよりも少し短い（支持する胡蝶蘭３０の分枝３７の長さより長い）長さとを有するアルミニウム製の針金４２を材料とし、図７（ａ）に示すように、胡蝶蘭３０の生長の邪魔にならず美感を損なわないことと花３５や花茎３６の大きさとに応じた直径（例えば、２ｃｍ〜３ｃｍ）の円になるように束ねて作製する。
なお、補助支柱２は、他端２ｂ側に余剰分を束ねており、胡蝶蘭３０の分枝３７の生長に応じて、余剰分の束から解いた部分を胡蝶蘭３０の分枝３７の生長部分に沿わせることになる。
また、補助支柱２は、支柱１の中間への一端２ａの連結にビニールテープ等の固定具３を用いており、支柱１に対して簡易に取り付け、取り外すことができ、他の分枝３７に再利用することも可能である。
【００２６】
つぎに、胡蝶蘭３０の支持装置１０を使用した胡蝶蘭３０の仕立方法について説明する。
胡蝶蘭３０は花芽が伸びるまでは、花茎３６が垂直に立っており、開花する頃になると花３５が重くなるため、花茎３６が垂れることがよくある。こうした花茎３６に対しては、支柱１を立てる。
【００２７】
まず、胡蝶蘭３０の生産者は、胡蝶蘭３０が開花する頃になると、胡蝶蘭３０の個体に応じた形状を有する支柱１を選択する。
そして、胡蝶蘭３０の生産者は、選択した支柱１の一端１ａ側（埋設領域）を胡蝶蘭３０の株元近傍の植え込み材料２２に埋設させる。
また、胡蝶蘭３０の生産者は、胡蝶蘭３０の花茎３６を支柱１の湾曲部１ｄの曲線に沿わせ、ビニールテープ、クリップ又は針金入り結束線等の結束具４により胡蝶蘭３０の花茎３６と支柱１とを結束し、胡蝶蘭３０の花茎３６を支柱１に支持させる（支持ステップ）。
【００２８】
そして、胡蝶蘭３０の生産者は、胡蝶蘭３０の花茎３６の中間から分枝３７した場合に、図７（ｂ）に示すように、花茎３６の分枝点３７ａ近傍に補助支柱２の一端２ａを固定具３により連結し、胡蝶蘭３０の分枝３７に補助支柱２を沿わせ、結束具４により胡蝶蘭３０の分枝３７及び補助支柱２を結束し、胡蝶蘭３０の分枝３７を補助支柱２に下方から支持させる（連結ステップ）。
この場合に、胡蝶蘭３０の生産者は、補助支柱２の他端２ｂ側に補助支柱２の余剰分を束ねている。
【００２９】
そして、胡蝶蘭３０の生産者は、胡蝶蘭３０の分枝３７がさらに伸びて補助支柱２の束の位置からある程度突出した場合に、図７（ｃ）に示すように、補助支柱２の余剰分の束を解いて、胡蝶蘭３０の分枝３７の生長部分の長さに合わせて補助支柱２を伸長し、胡蝶蘭３０の分枝３７の生長部分を補助支柱２の余剰部分で下方から支持させる（伸長ステップ）。
そして、胡蝶蘭３０の生産者は、胡蝶蘭３０の分枝３７の生長（伸長）が止まった場合に、補助支柱２の他端２ｂ側に残る余剰分の束を分枝３７の支持部分から切断する。
【００３０】
以上のように、本実施形態に係る胡蝶蘭３０の支持装置１０及び胡蝶蘭３０の仕立方法においては、胡蝶蘭３０の分枝３７の生長に応じて、補助支柱２を追加及び伸長させることができ、胡蝶蘭３０の花茎３６を所望の姿勢で支持することができるという作用効果を奏する。
【００３１】
つぎに、胡蝶蘭３０の支持装置１０により支持される胡蝶蘭３０の植え替え（鉢上げ）方法について、図８及び図９（ａ）を用いて説明する。
【００３２】
ここで、胡蝶蘭３０の植え替え方法には、（１）根３３に付いた植え込み材料２２（水苔２２ａ、バーク２２ｂ）をそのままの状態で、バークチップが入った新しい植木鉢２０に移し入れる方法や、（２）根３３に付いた植え込み材料２２（水苔２２ａ、バーク２２ｂ）を取り除き、根３３に新しい水苔２２ａを巻き付け、新しい植木鉢２０に入れる方法等がある。
本実施形態に係る胡蝶蘭３０の植え替え方法は、前記（１）のうち、プラスチック鉢、素焼き鉢又は瀬戸鉢などの硬質の植木鉢２０内に、軟質のポリエチレン鉢（ビニールポット２１）入りの胡蝶蘭３０を入れる二重鉢方式の変形例である。
特に、本実施形態に係る胡蝶蘭３０の植え替え方法は、（１−１）水苔２２ａで栽培した胡蝶蘭３０の苗（例えば、２．５寸）を、（１−２）バーク２２ｂを内部に敷き詰めた小さめのビニールポット２１（例えば、４．５寸や５寸等）で育成し、（１−３）そのビニールポット２１からビニールポット２１より直径が大きい硬質の植木鉢２０に鉢上げする方法である。
なお、前記（１−１）において、胡蝶蘭３０の苗は、大きすぎると水分過多になり、１．７寸より小さいと乾き易く水分不足になるために、１．７寸より大きく、２．５寸以下のサイズが好ましい。
また、前記（１−２）において、胡蝶蘭３０の生産者は、ビニールポット２１の排水性を向上させるために、図８（ａ）に示すように、ビニールポット２１の鉢底２１ｃに少量のバーク２２ｂを敷設し、水苔２２ａで栽培した胡蝶蘭３０の苗をバーク２２ｂ上に載置して、胡蝶蘭３０の苗及びビニールポット２１間の間隙にバークチップを充填する。
【００３３】
前記（１−３）において、まず、胡蝶蘭３０の生産者は、図８（ｂ）に示すように、胡蝶蘭３０が植栽されたビニールポット２１の側壁２１ａにおける上端２１ｂから略中央位置まで深さ方向に一又は複数の切り込みを入れ（切断ステップ）、図８（ｃ）に示すように、切断ステップにより生じたビニールポット２１の切片を外側に折り返す（折返しステップ）。この場合に、ビニールポット２１には、折返し縁２１ｄが生じる。
【００３４】
そして、胡蝶蘭３０の生産者は、排水性を向上するための発泡スチロール２２ｃを鉢底に敷設して発泡スチロール２２ｃ及びバーク２２ｂ間を仕切るための鉢底ネットやトリカルネット（登録商標）等のプラスチック製の網２３を配設した植木鉢２０を用意する。
そして、胡蝶蘭３０の生産者は、図９（ａ）に示すように、当該植木鉢２０の内部空間にビニールポット２１を挿入して、植木鉢２０の内部の間隙にバーク２２ｂを充填し、そのバーク２２ｂ層の表面の６〜７割を被覆するように少量の水苔２２ａを敷設する（埋設ステップ）。
なお、発泡スチロール２２ｃは、植木鉢２０が大きければ、植木鉢２０とビニールポット２１との間隙に、より多くのバーク２２ｂを必要とするため、株の高さを調節する上げ底としての機能も有する。
【００３５】
以上のように、本実施形態に係る胡蝶蘭３０の植え替え方法においては、胡蝶蘭３０の植え替えで多用されるようなビニールポット２１をそのまま植木鉢２０に挿入する場合に対して、ビニールポット２１の側壁２１ａを切断して折り返してから植木鉢２０に挿入することにより、折り返したビニールポット２１における折り返す前の側壁２１ａに対応する部分から植木鉢２０内の新たなバーク２２ｂに胡蝶蘭３０の根３３を生長させることができるという作用効果を奏する。
しかも、本実施形態に係る胡蝶蘭３０の植え替え方法においては、胡蝶蘭３０からビニールポット２１を外して胡蝶蘭３０を植え替える場合と比較して、ビニールポット２１内のバーク２２ｂをこぼれ難くすることができるという作用効果を奏する。
【００３６】
なお、本実施形態に係る胡蝶蘭３０の植え替え方法においては、単株の胡蝶蘭３０を用いて説明したが、複数の株を寄せ植えしてもよく、例えば、単株の胡蝶蘭３０がそれぞれ植栽された３鉢ほどのビニールポット２１を１鉢の大きな植木鉢２０に寄せ植えしてもよい。この場合には、折り返したビニールポット２１における折り返す前の側壁２１ａに対応する部分から植木鉢２０内の新たなバーク２２ｂに胡蝶蘭３０の根３３を生長させることができるため、各ビニールポット２１から植木鉢２０側に根３３がよく伸び、ビニールポット２１内での根腐れを防止することができる。
【００３７】
また、本実施形態に係る胡蝶蘭３０の植え替え方法においては、前述した切断ステップがビニールポット２１の鉢底２１ｃを切開するステップを含んでもよい。
例えば、図１０に示すように、ビニールポット２１の鉢底２１ｃにある排水用の底孔２１ｅから切り込み２１ｆを入れることにより、胡蝶蘭３０及び植え込み材料２２の重量による荷重が切りこみ部分に作用して底孔２１ｅを拡大し、ビニールポット２１の排水性を向上することができる。また、胡蝶蘭３０の根３３は、ビニールポット２１の鉢底２１ｃの切開部分から植木鉢２０内の新たなバーク２２ｂに生長することができ、根腐れをさらに防止することができる。
なお、ビニールポット２１の底孔２１ｅの個数及び位置は、ビニールポット２１の仕様により異なるために、ビニールポット２１の仕様に応じて切り込み２１ｆの位置、大きさ、本数及び方向などを適宜選択する。例えば、図１０に示すように、４個の底孔２１ｅを有するビニールポット２１であれば、底孔２１ｅが拡大しやすいように、対向する底孔２１ｅ間を横断するように切り込み２１ｆを入れることが考えられる。
【００３８】
また、本実施形態に係る胡蝶蘭３０の支持装置１０は、図１に示すように、支柱１の屈曲部１ｃが植木鉢２０の内部に配置される場合について説明したが、図９（ｂ）に示すように、略Ｓ字状の屈曲部１ｃがビニールポット２１の折返し縁２１ｄに係合する構成であってもよい。これにより、支持装置１０は、ビニールポット２１の側壁２１ａが支柱１の回転方向に位置して障壁となり、植木鉢２０に対する支柱１の回転を防止して、支柱１の更なる安定性を保つことができる。
【００３９】
さらに、本実施形態に係る胡蝶蘭３０の支持装置１０は、図９（ｃ）に示すように、支柱１の一端１ａが網２３に差し込まれる構成であってもよい。これにより、網２３は、植木鉢２０の排水性を向上させる他に、支柱１と係合し、植え込み材料２２からの支柱１の抜けを防止して、支柱１の安定性を向上させることができる。
【００４０】
また、本実施形態に係る胡蝶蘭３０の植え替え（鉢上げ）は、ビニールポット２１の側壁２１ａを切断して折り返してから植木鉢２０に挿入する場合について説明したが、ビニールポット２１を取り外して植木鉢２０に挿入してもよいし、ビニールポット２１を切断する（折り返す）ことなくそのまま植木鉢２０に挿入してもよい。
ビニールポット２１をそのまま植木鉢２０に挿入する場合には、ビニールポット２１に充填されたバーク２２ｂ層の表面に、新たなバーク２２ｂを敷設し、新たなバーク２２ｂ層の表面に少量の水苔２２ａを敷設することにより、胡蝶蘭３０の植え替え（鉢上げ）を完了して出荷する。
【符号の説明】
【００４１】
１      支柱
１ａ    一端
１ｂ    他端
１ｃ    屈曲部
１ｄ    湾曲部
２      補助支柱
２ａ    一端
２ｂ    他端
３      固定具
４      結束具
１０    支持装置
２０    植木鉢
２１    ビニールポット
２１ａ  側壁
２１ｂ  上端
２１ｃ  鉢底
２１ｄ  折返し縁
２１ｅ  底孔
２１ｆ  切り込み
２２    植え込み材料
２２ａ  水苔
２２ｂ  バーク
２２ｃ  発泡スチロール
２３  網
３０    胡蝶蘭
３１    葉
３２    茎
３３    根
３４    蕾
３５    花
３６    花茎
３７    分枝
３７ａ  分枝点
４１    管
４２    針金
【図１】
2015080450.tif 000003
【図２】
2015080450.tif 000004
【図３】
2015080450.tif 000005
【図４】
2015080450.tif 000006
【図５】
2015080450.tif 000007
【図６】
2015080450.tif 000008
【図７】
2015080450.tif 000009
【図８】
2015080450.tif 000010
【図９】
2015080450.tif 000011
【図１０】
2015080450.tif 000012